(57)【要約】【課題】少量多種の生産に適し、速やかに納品でき、型を用意する必要のないグリップ用保護帯を提供する。【解決手段】底層１１、上層１２および刺繍糸１５を有し、底層１１は上面１１ａおよび底面１１ｂを有し、底面１１ｂは打球具のグリップ上に固着される。上層１２は上面１２ａおよび底面１２ｂを有し、底面１２ｂは底層１１の上面１１ａの上に固着される。刺繍糸１５は上層１２の上面１２ａに縫い込まれ、表出糸１５ａおよび埋没糸１５ｂに分けられ、表出糸１５ａは上層１２の上面１２ａで所定の図案を形成し、埋没糸１５ｂは上層１２の底面１２ｂまで刺し込まれ反対方向に戻って上層１２より抜き出され表出糸１５ａをなす。刺繍糸１５を用いて上面１２に刺繍を施して所定の図案を形成し、滑り止め効果を提供するほか、該図案のデザイン変更の柔軟性を向上させ、さらに刺繍糸１５の刺し込み深さの違いにより、結合度を増すことができる。【選択図】  図２
2004166949.tif 000002
【特許請求の範囲】
【請求項１】
長い帯状を呈し、螺旋状に打球具のグリップ上に巻き付けられ、打球具上に所定の長さの握り部分を形成するグリップ用保護帯であって、
底層、上層および刺繍糸を備え、
該底層は上面および底面を有し、該底層の底面は該打球具のグリップ上に固着され、
該上層は上面および底面を有し、該上層の底面は該底層の上面の上に固着され、かつ該上層の上面は所定の幅を有し、
該刺繍糸は該上層の上面の幅の範囲内に縫い込まれ、表出糸および埋没糸に分けられ、該表出糸は該上層の上面の幅の範囲内で所定の図案を形成し、該埋没糸は少なくとも該上層の底面まで刺し込まれ反対方向に戻って該上層より抜き出され該表出糸をなすことを特徴とするグリップ用保護帯。
【請求項２】
該刺繍糸の埋没糸は該底層の底面まで刺し込まれ、反対方向に戻って該上層より抜き出されることを特徴とする請求項１記載のグリップ用保護帯。
【請求項３】
該底層と該上層との間に固着され、上面および底面を有する中間層を備えることを特徴とする請求項１記載のグリップ用保護帯。
【請求項４】
該刺繍糸は外部より相次いで該上層と該中間層とを貫通し、該埋没糸は該中間層の底面まで刺し込まれた後、反対方向に戻って該上層より抜き出されることを特徴とする請求項３記載のグリップ用保護帯。
【請求項５】
該刺繍糸は外部より相次いで該上層と該中間層と該底層とを貫通し、該埋没糸は該底層の底面まで刺し込まれた後、反対方向に戻って該上層より抜き出されることを特徴とする請求項３記載のグリップ用保護帯。
【請求項６】
該上層はゴム材で形成され、該底層はポリウレタンで形成されることを特徴とする請求項１記載のグリップ用保護帯。
【請求項７】
該上層はゴム材で形成され、該底層はエチレン酢酸ビニル共重合体等の一体成型発泡材で形成されることを特徴とする請求項１記載のグリップ用保護帯。
【請求項８】
該上層はポリウレタンで形成され、該底層は不織布であることを特徴とする請求項１記載のグリップ用保護帯。
【請求項９】
該中間層は弾性材で形成されることを特徴とする請求項３記載のグリップ用保護帯。
【請求項１０】
該中間層は吸水性および通気性に優れた材料で形成されることを特徴とする請求項３記載のグリップ用保護帯。
【請求項１１】
該埋没糸は該上層の底面まで刺し込まれた後、帰路が形成され、底線より刺し入れられることを特徴とする請求項１記載のグリップ用保護帯。
【請求項１２】
該埋没糸は該底層の底面まで刺し込まれた後、帰路が形成され、底線より刺し入れられることを特徴とする請求項２記載のグリップ用保護帯。
【請求項１３】
該埋没糸は該中間層の底面まで刺し込まれた後、帰路が形成され、底線より刺し入れられることを特徴とする請求項４記載のグリップ用保護帯。
【発明の詳細な説明】
【０００１】
【発明の属する技術分野】
本発明は、スポーツ用具に関し、特にスポーツ用具のグリップ上に巻き付けるグリップ用保護帯に関する。
【０００２】
【従来の技術】
一般的に従来のスポーツ用具のグリップ用保護帯は、その上層上面の図案によって商品の商標を表示したり、製品の全体的な美観を増したり、握ったときの滑り止め機能を若干増強させることに使用されており、従来の図案の製造技術には、概ね下記の２種類の方式がある。
【０００３】
一つは焼印であり、その方法は、所定の図案を逆に彫ってあり加熱した型をグリップ用保護帯に押し当て、該所定の図案を該グリップ用保護帯上に焼き付けるというものである。もう一つは印刷であり、その方法は、所定の図案を逆に彫ってある型に塗料を付着させ、グリップ用保護帯に押し当て該所定の図案の塗料を該グリップ用保護帯上に転写し、適切な熱処理を施した後、該塗料を長期的に該グリップ用保護帯上に付着させるというものである。
【０００４】
【発明が解決しようとする課題】
しかし、上述の従来のグリップ用保護帯は、上面の図案の加工をしようとする場合、まず相応する型を製造してから実施しなければならない。現在、打球具市場の供給競争は熾烈であり、業者が商品の商標の既存の占有率を確保し、また客層の範囲を拡大するためには、局部を多様化した商品を提供し、速やかに市場に投入しなければならない。しかし業者が提供する商品様式が増えるほど、相応する型の開発も増えるであろうし、同時に代表的企業が型コストのために資金を寝かせておくということも増える。だが商品を市場に投入する速度が速いほど、相応する型が淘汰される速度も速くなるし、商品の製造原価を大幅に増加させることになる。また消費者が使用した印象としては、焼印の図案はその色彩の選択幅にかなり制限があり、転写の図案は往々にして汗の浸透、日差し、ならびに長期的な握る動作の繰り返し等の影響で耐久性が失われ色が剥がれ落ち、商品の視覚上の美観を損ねることになる。さらに業者は、打球具を握ったときの滑り止め効果を増すような一種の図案の製造技術を導入することを希望している。
【０００５】
これに鑑み、本発明者はついに改善することを決意し、長年グリップ用保護帯の設計および研究開発に従事した経験を生かし、詳細に思考してこのグリップ用保護帯を発明した。
本発明の主要目的は、少量多種の生産形態に適しており、速やかに納品でき、別途型を用意する必要のないグリップ用保護帯を提供することである。
【０００６】
本発明の二番目の目的は、上面図案のデザイン変更に関して柔軟性があるグリップ用保護帯を提供することである。
本発明の三番目の目的は、上面図案が汗の浸透および日差しの影響を受けず長期的に維持され、さらに握ったときの滑り止め効果を増したグリップ用保護帯を提供することである。
【０００７】
【課題を解決するための手段】
上述の目的を達成するために、本発明は次の技術手段を採用する。この手段によれば、刺繍糸を用いてグリップ用保護帯の上面の所定幅の範囲内に刺繍を施し、所定の図案を形成し、有効な滑り止め効果を提供するほか、該図案のデザイン変更の柔軟性を向上させ、さらに、該刺繍糸が該グリップ用保護帯内に刺し込まれる深さの違いにより、該グリップ用保護帯本体の結合度を増すことができる。
【０００８】
【発明の実施の形態】
以下、本発明の実施例を図面に基づいて説明する。
まず図１および図２に示すように、本発明の第一実施例によるグリップ用保護帯１０は、打球具１のグリップ２上に螺旋状に巻き付けられ、打球具１上に一つの所定の長さの握り部分を形成し、一つの底層１１と一つの上層１２と一つの刺繍糸１５から構成される。
【０００９】
該底層１１はポリウレタン（ｐｏｌｙｕｒｅｔｈａｎｅ，ＰＵ）で形成されるが、またポリ塩化ビニル（ｐｏｌｙｖｉｎｙｌ  ｃｈｌｏｒｉｄｅ，ＰＶＣ）、エチレン酢酸ビニル共重合体（ｅｔｈｙｌｅｎｅ−ｖｉｎｙｌ  ａｃｅｔａｔｅｃｏｐｏｌｙｍｅｒ，ＥＶＡ）等、一体成型発泡材の制震材で形成してもよく、一つの上面１１ａおよび一つの底面１１ｂを有し、該底層の底面１１ｂは直接あるいは結合剤を配合して該打球具のグリップ２上に固着されている。該上層１２はゴム材で形成され、一つの上面１２ａおよび一つの底面１２ｂを有し、該上面１２ａは所定の幅を有し、これにより使用者が手で握ることができるようになっている。上述内容は一般的なグリップ用保護帯の上面に属するものなので、これ以上詳述しないことをご了解いただきたい。
【００１０】
本実施例は、主に以下のような技術手段を用いて前述の目的を達成する。該刺繍糸１５を外部より該上層１２の上面１２ａに刺し入れ、該上面１２ａから該底面１２ｂまで刺し込んだ後、帰路を形成し、底線（図示せず）より刺し入れ、また反対方向に戻って該上面１２ａより抜き出す。繰り返し下に向かって該上層１２上面１２ａから刺し入れる。このように前述の工程を続行し、該刺繍糸１５を概ね表出糸１５ａおよび埋没糸１５ｂに分かれさせ、その内、該表出糸１５ａは該上面１２ａの幅の範囲内で所定の図案を形成する。例えば商標名、商標図案ロゴ（ｌｏｇｏ）或いは特殊デザイン図案等、該上面１２ａの幅の範囲内の刺繍図案が完成後、該上層１２の底面１２ｂに結合材を配合し、該底層の上面１１ａに固着させ、該上層１２と底層１１を貼り合わせる。
【００１１】
これにより、本実施例は以下のような長所を有する。
（１）デザイン図案は刺繍技術を利用して形成されているため、別途型を用意する必要がなく、コスト低減を図れる。特に少量多種の生産形態に適する。
（２）刺繍糸の表出糸の進行方向と長さは、人為あるいは機械の任意操作によって決まるので、従来技術と比較してデザイン変更のさらなる柔軟性を有する。
【００１２】
（３）刺繍糸が汗の浸透や日差しの影響を受けて脱落することがないので、長期的に商品の視覚上の美観を維持でき、同時にグリップ上層には刺繍糸の表出糸による凸部があり、握ったときに表出糸の作用により受け滑り止め効果を生む。
（４）刺繍糸の埋没糸は該グリップ中に刺し込まれ、グリップ材料の分子間の結合性を強化できる。
【００１３】
図３に本発明の第二実施例を示す。この第二実施例によるグリップ用保護帯１０の、第一実施例と比較しての差異は以下の通りである。該底層１１の材質が不織布、ならびに該上層１２の材質がポリウレタン（ｐｏｌｙｕｒｅｔｈａｎｅ，ＰＵ）で形成されており、また該上層１２と底層１１をまず固着して貼り合わせ、該刺繍糸１５を外部より該上層１２および底層１１まで貫通させ、該埋没糸１５ｂを該底層１１の底面１１ｂまで刺し込んだ後、また反対方向に戻って該上層１２より抜き出す。本実施例を前述の実施例と比べると、前述の実施例の長所を有するほか、該刺繍糸が該上層１２と底層１１とを繋ぎ止め、その結合効果は前述の実施例よりもさらに良好である。
【００１４】
図４に本発明の第三実施例を示す。この第三実施例によるグリップ用保護帯１０の、第一あるいは第二実施例と異なる点は以下の通りである。該底層１１と該上層１２との間にさらに一つの中間層１３を挟み込み、その内、該中間層１３は、該底層１１と該上層１２の材質に基づいて異なる材料選択がなされ、また該中間層１３には、吸水性および通気性に優れた材質、あるいは良好な弾性を有する材質を選択する。
【００１５】
また該刺繍糸１５を外部より該上層１２の上面１２ａに刺し入れ、該上面１２ａから該底面１２ｂまで刺し込んだ後、帰路を形成し、底線より刺し入れ、また反対方向に戻って該上面１２ａより抜き出す。繰り返し下に向かって該上層１２の上面１２ａから刺し入れる。このように前述の工程を続行し、該刺繍糸１５を概ね表出糸１５ａおよび埋没糸１５ｂに分かれさせ、その内、該表出糸１５ａは該上面１２ａの幅の範囲内で所定の図案を形成する。例えば商標名、商標図案ロゴ（ｌｏｇｏ）、あるいは特殊デザイン図案等、該上面１２ａの幅の範囲内の刺繍図案が完成後、該上層１２の底面１２ｂに結合材を配合し、該中間層１３上面に固着させ、さらに該中間層１３の底面を底層の上面１１ａ上に固着させ、該上層１２と、該中間層１３および底層１１とを貼り合わせる。
【００１６】
図５に本発明の第四実施例を示す。この第四実施例によるグリップ用保護帯１０の、第三実施例と比較しての差異は以下の通りである。該刺繍糸１５を外部より該上層１２および該中間層１３まで貫通させ、該埋没糸１５ｂを該中間層１３底面まで刺し込んだ後、また反対方向に戻って該上層１２より抜き出す。刺繍糸１５の図案が完成後、該中間層１３の底面と該底層１１の上面１１ａとを貼り合わせる。この実施例を前述の実施例と比べると、前述の実施例の長所を有するほか、該刺繍糸が該上層と該中間層とを繋ぎ止め、その結合効果は前述の実施例よりもさらに良好である。
【００１７】
図６に本発明の第五実施例を示す。この第五実施例によるグリップ用保護帯１０の、第四実施例と比較しての差異は以下の通りである。該刺繍糸１５を外部より相次いで該上層１２、該中間層１３および該底層１１まで貫通させ、該埋没糸１５ｂを該底層の底面１１ｂまで刺し込んだ後、また反対方向に戻って該上層１２より抜き出すので、該底層１１と該中間層１３と該上層１２とを貫いた状態になる。この実施例を前述の実施例と比べると、前述の実施例の長所を有するほか、該上層と該中間層と該底層とが該刺繍糸によって繋ぎ止められるので、結合効果は前述の実施例よりもさらに良好である。
【００１８】
以上を総合すると、本発明は極めて進歩性を有し、また使用する上でも実用利便性を有し、さらに同じ発明は刊行物においても、未公開の使用においても未見であることから、本発明は確かに新規特許の要件を満たしており、法に基づき本発明の特許申請を提出するものである。
ただし、以上に公開した実施例は、本発明の比較的よい実施例のみであり、本発明の詳細な説明および特許請求の範囲で述べた内容を応用することは、すべて本発明の主旨にのっとるものと見なし、本発明の特許請求の範囲に含まれるものと見なす。
【図面の簡単な説明】
【図１】本発明の第一実施例によるグリップ用保護帯を示す斜視図である。
【図２】本発明の第一実施例によるグリップ用保護帯を示す局部断面図である。
【図３】本発明の第二実施例によるグリップ用保護帯を示す局部断面図である。
【図４】本発明の第三実施例によるグリップ用保護帯を示す局部断面図である。
【図５】本発明の第四実施例によるグリップ用保護帯を示す局部断面図である。
【図６】本発明の第五実施例によるグリップ用保護帯を示す局部断面図である。
【符号の説明】
１  打球具
２  グリップ
１０  グリップ用保護帯
１１  底層
１１ａ  上面
１１ｂ  底面
１２  上層
１２ａ  上面
１２ｂ  底面
１５  刺繍糸
１５ａ  表出糸
１５ｂ  埋没糸
【図１】
2004166949.tif 000003
【図２】
2004166949.tif 000004
【図３】
2004166949.tif 000005
【図４】
2004166949.tif 000006
【図５】
2004166949.tif 000007
【図６】
2004166949.tif 000008